(57)【要約】【課題】ファンモータ支えが正規の取付位置からずれたまま固定されることを抑制しつつ、ファンモータ支えの組立作業性を向上させる。【解決手段】空気調和機の室外機１００は、ベース１と、ベースに固定されるファンモータ支え１４と、ベースとファンモータ支えとを固定するための固定用部材（ネジ１５）と、を備えている。ファンモータ支えは、底部に、凸状又は凹状に形成された支え側係合部４０を有している。一方、ベースは、支え側係合部に対応する位置に、支え側係合部と係合する凹状又は凸状に形成されたベース側係合部６０を有している。【選択図】図２
2018084387.tif 000002
【特許請求の範囲】
【請求項１】
ベースと、
前記ベースに固定されるファンモータ支えと、
前記ベースと前記ファンモータ支えとを固定するための固定用部材と、を備え、
前記ファンモータ支えは、底部に、凸状又は凹状に形成された支え側係合部を有しており、
前記ベースは、前記支え側係合部に対応する位置に、前記支え側係合部と係合する凹状又は凸状に形成されたベース側係合部を有している
ことを特徴とする空気調和機の室外機。
【請求項２】
前記固定用部材は、ネジであり、
前記支え側係合部と前記ベース側係合部とには、前記ファンモータ支えと前記ベースとをネジ止めするためのネジ孔が形成されている
ことを特徴とする請求項１に記載の空気調和機の室外機。
【請求項３】
前記支え側係合部の側面と前記ベース側係合部の側面は、それぞれ、傾斜面になっており、
前記ネジ孔は、前記支え側係合部の奥行き方向に設けられた面と前記ベース側係合部の奥行き方向に設けられた面の対応する位置に形成されている
ことを特徴とする請求項２に記載の空気調和機の室外機。
【請求項４】
前記ベースは、前記ベース側係合部の周囲に、平坦状に形成された略水平な面を有している
ことを特徴とする請求項１に記載の空気調和機の室外機。
【請求項５】
前記ベースは、上方に突出する係止爪を有しており、
前記ファンモータ支えの底部には、前記係止爪に対応する挿通孔が形成されている
ことを特徴とする請求項１に記載の空気調和機の室外機。
【請求項６】
前記支え側係合部の奥行き方向に設けられた面と前記ベース側係合部の奥行き方向に設けられた面は、それぞれ、傾斜面になっており、
前記ベースは、前記ベース側係合部の周囲に、上方に突出する係止爪を有しており、
前記係止爪の高さは、前記支え側係合部の高さよりも低い
ことを特徴とする請求項１に記載の空気調和機の室外機。
【請求項７】
前記ベースは、前記ベース側係合部の右側と左側とに、上方に突出する右側の係止爪と左側の係止爪とを有しており、
前記ファンモータ支えの底部には、前記右側の係止爪に対応する右側の挿通孔と前記左側の係止爪に対応する左側の挿通孔とが形成されており、
前記ファンモータ支えは、前記支え側係合部の後方の位置で、かつ、前記右側の挿通孔と前記左側の挿通孔との間の位置に、少なくとも１つ以上のリブを有している
ことを特徴とする請求項１に記載の空気調和機の室外機。
【発明の詳細な説明】
【技術分野】
【０００１】
本発明は、空気調和機の室外機に関する。
【背景技術】
【０００２】
空気調和機の室外機の内部には、室外熱交換器や送風ファン等が配設されている。送風ファンは、室外ファンモータに取り付けられており、その室外ファンモータはファンモータ支えに取り付けられている。ファンモータ支えは、下部がベースに突き当てられるとともに、上部が室外熱交換器に嵌め込まれた状態で、固定されている。
【０００３】
空気調和機の室外機に関連して、ファンモータ支えをベースに固定する技術としては、例えば、特許文献１に開示された技術や、特許文献２に開示された技術がある。
【０００４】
特許文献１に開示された技術は、ファンモータ支え（モータ取付板）と、ベースと、これらの間に配置される取付板（ボルト取付板）とを用いるものである。ベースには、２つの切り起こし（突起部）が設けられている。また、取付板の底部には、２つの切り起こしに対応する２つの取付穴が設けられている。ベースの２つの切り起こしが取付板の２つの取付穴に挿通されることによって、取付板がベースに固定される。ファンモータ支え（モータ取付板）と取付板とには、ネジ（ボルト）が挿通される孔（ボルト挿通穴）が形成されている。特許文献１に開示された技術は、モータ取付板（ファンモータ支え）の孔と取付板の孔とを合致させた状態で、ネジ（ボルト）でモータ取付板（ファンモータ支え）を取付板に固定するものである。
【０００５】
また、特許文献２に開示された技術は、ファンモータ台（ファンモータ支え）の底部に設けられた２つの切り起こし部を底板（ベース）に設けられた２つの被挿入部に挿入させて、ファンモータ台（ファンモータ支え）に設けられたネジ孔と底板（ベース）に設けられたネジ孔とを合致させた状態で、ネジでファンモータ台（ファンモータ支え）を底板（ベース）に固定するものである。
【先行技術文献】
【特許文献】
【０００６】
【特許文献１】特開平８−１７８３６１号公報
【特許文献２】特開２０１１−１０６７５８号公報
【発明の概要】
【発明が解決しようとする課題】
【０００７】
特許文献１及び特許文献２に記載された空気調和機の室外機は、以下に説明するように、ファンモータ支えが正規の取付位置からずれたまま固定されることがあり、ファンモータ支えの組立作業性を向上させることが望まれている、という課題があった。
【０００８】
特許文献１に記載された空気調和機の室外機は、組立時において、ベースの２つの切り起こし（突起部）のうちの一方が取付板の取付穴に嵌まっていなくても、モータ取付板（ファンモータ支え）を取付板にネジ（ボルト）で固定することができる。そして、一方の切り起こし（突起部）が取付穴に嵌っていない場合に、モータ取付板（ファンモータ支え）が正規の取付位置からずれた位置に固定される。そのため、この場合に、特許文献１に記載された空気調和機の室外機は、室外熱交換器を固定するためにモータ取付板（ファンモータ支え）の上部に設けられた固定部に室外熱交換器を嵌め込ませることがし難くなり、組立作業性が低下する可能性があった。また、この場合に、特許文献１に記載された空気調和機の室外機は、固定部が室外熱交換器に衝突する可能性があり、固定部で室外熱交換器に傷を付けたり、固定部を変形させたりする可能性があった。また、この場合に、特許文献１に記載された空気調和機の室外機は、モータ取付板（ファンモータ支え）に取り付けられた送風ファンが正規の取付位置からずれた位置に配置されるため、送風ファンの羽根が空気調和機の室外機の内部に設けられたベルマウスに接触する可能性があった。そして、送風ファンがベルマウスに接触している場合で、かつ、組立工程の後半で組立作業者（施工業者）がそのことに気付いたときに、組立作業者は、モータ取付板（ファンモータ支え）のベースへの取付作業を再度行わなければならないため、組立作業者に手間をかけさせていた。
【０００９】
また、特許文献２に記載された空気調和機の室外機は、組立時において、ファンモータ台（ファンモータ支え）を室外機の内部に挿入する際に、ファンモータ台（ファンモータ支え）を斜めにして挿入してしまうことがある。この場合に、特許文献２に記載された空気調和機の室外機は、室外熱交換器を固定するためにファンモータ台（ファンモータ支え）の上部に設けられた固定部に室外熱交換器を嵌め込ませることがし難くなり、組立作業性が低下する可能性があった。また、この場合に、特許文献２に記載された空気調和機の室外機は、固定部が室外熱交換器に衝突する可能性があり、固定部で室外熱交換器に傷を付けたり、固定部を変形させたりする可能性があった。
【００１０】
本発明は、前記した課題を解決するためになされたものであり、ファンモータ支えが正規の取付位置からずれたまま固定されることを抑制しつつ、ファンモータ支えの組立作業性を向上させた空気調和機の室外機を提供することを主な目的とする。
【課題を解決するための手段】
【００１１】
前記目的を達成するため、本発明は、空気調和機の室外機であって、ベースと、前記ベースに固定されるファンモータ支えと、前記ベースと前記ファンモータ支えとを固定するための固定用部材と、を備え、前記ファンモータ支えは、底部に、凸状又は凹状に形成された支え側係合部を有しており、前記ベースは、前記支え側係合部に対応する位置に、前記支え側係合部と係合する凹状又は凸状に形成されたベース側係合部を有している構成とする。
その他の手段は、後記する。
【発明の効果】
【００１２】
本発明によれば、ファンモータ支えが正規の取付位置からずれたまま固定されることを抑制しつつ、ファンモータ支えの組立作業性を向上させることができる。
【図面の簡単な説明】
【００１３】
【図１】実施形態に係る空気調和機の室外機の内部構成を示す図である。
【図２】実施形態で用いたベースとファンモータ支えの概略構成を示す図である。
【図３】実施形態で用いたベースの全体構成を示す図である。
【図４】実施形態で用いたベースのベース側係合部の構成を示す横断面図である。
【図５】実施形態で用いたベースのベース側係合部の構成を示す縦断面図である。
【図６】実施形態で用いたファンモータ支えの全体構成を示す図である。
【図７】実施形態で用いたファンモータ支えの支え側係合部の構成を示す横断面図である。
【図８】実施形態で用いたファンモータ支えの支え側係合部の構成を示す縦断面図である。
【発明を実施するための形態】
【００１４】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１５】
［実施形態］
＜空気調和機の室外機１００の内部構成＞
以下、図１及び図２を参照して、本実施形態に係る空気調和機の室外機１００の内部構成につき説明する。図１は、本実施形態に係る空気調和機の室外機１００の内部構成を示す図である。図２は、空気調和機の室外機１００で用いたベース１とファンモータ支え１４の概略構成を示す図である。
【００１６】
図１に示すように、空気調和機の室外機１００の筺体は、ベース１、前カバー２、左側面カバー３、右側面カバー４、天板５により構成されている。室外機１００の内部は、仕切板６により、機械室７と熱交換室８とに区画されている。機械室７には、圧縮機９と電装品１０とが配設されている。熱交換室８には、室外熱交換器１１と室外ファン１２とが配設されている。室外ファン１２は、室外ファンモータ１３に取り付けられており、その室外ファンモータ１３はファンモータ支え１４に取り付けられている。ファンモータ支え１４は、下部がベース１に突き当てられるとともに、上部が室外熱交換器１１に嵌め込まれた状態で、天板５の内側面に固定されている。
【００１７】
図２に示すように、ファンモータ支え１４は、室外ファンモータ１３を固定して支持する部材であり、板金で形成されている。ファンモータ支え１４は、室外ファン１２（図１参照）が取り付けられる室外ファンモータ１３の後方の位置で、かつ、室外熱交換器１１の前方の位置に配置されている。ファンモータ支え１４は、ベース１の底面部（内側上面）の位置から天板５の下端部と略同じ高さの位置まで略鉛直上方に延在するように配置されている。
【００１８】
ファンモータ支え１４は、底部に、凸状又は凹状（厳密には、下方向に凸状又は上方向に凹状）に形成された支え側係合部４０を有している。一方、ベース１は、支え側係合部４０に対応する位置に、支え側係合部４０と係合する凹状又は凸状（厳密には、下方向に凹状又は上方向に凸状）に形成されたベース側係合部６０を有している。本実施形態では、支え側係合部４０が下方向に凸状に形成されているとともに、ベース側係合部６０が下方向に凹状に形成されているものとして説明する。
【００１９】
＜ベースの構成＞
以下、図３乃至図５を参照して、ベース１の構成につき説明する。図３は、ベース１の全体構成を示す図である。図４及び図５は、それぞれ、ベース１に設けられたベース側係合部６０の構成を示す断面図である。図４は、図３に示すＸ１−Ｘ１線に沿って切断したベース側係合部６０の形状を示している。図５は、図３に示すＸ２−Ｘ２線に沿って切断したベース側係合部６０の形状を示している。
【００２０】
図３に示すように、ベース１の底面部（内側上面）５７の支え側係合部４０（図２参照）に対応する位置には、ファンモータ支え１４を配設するための凸形状絞り部５９が凸状に形成されている。その凸形状絞り部５９の一部分には、ファンモータ支え１４の凸形状の支え側係合部４０（図２参照）と係合するように、凹形状のベース側係合部６０が形成されている。凸形状絞り部５９は、例えばプレス成形等でベース１の底面部（内側上面）５７を変形させることによって形成されている。
【００２１】
凹形状のベース側係合部６０は、前方が開放されている。そして、ベース側係合部６０は、内側に、底面６０ａと奥側面６０ｂと左側面６０ｃと右側面６０ｄとを備えた構成になっている。底面６０ａは、ベース側係合部６０の底部分の上面である。奥側面６０ｂは、ベース側係合部６０の奥行き方向に設けられた面である。左側面６０ｃと右側面６０ｄとは、それぞれ、ベース側係合部６０の左方向と右方向とに設けられた面である。
【００２２】
底面６０ａは、支え側係合部４０の後記する底面４０ａ（図７及び図８参照）に沿うように、略水平な方向に延在する平坦な水平面となっている。奥側面６０ｂは、支え側係合部４０の後記する背面４０ｂ（図７及び図８参照）に沿うように、鉛直方向に対して緩やかに傾斜する傾斜面として形成されている。また、左側面６０ｃと右側面６０ｄとは、それぞれ、支え側係合部４０の後記する左側面４０ｃ（図７参照）と右側面４０ｄ（図７参照）とに沿うように、鉛直方向に対して緩やかに傾斜する傾斜面として形成されている。
【００２３】
ベース側係合部６０の奥側面６０ｂには、ネジ取付用のネジ孔６１が形成されている。ネジ孔６１は、支え側係合部４０のネジ孔４１（図６及び図７参照）と合致する位置に形成されている。
【００２４】
凸形状絞り部５９の頂面部５９ａは、ベース側係合部６０の周囲を囲むように、略水平な方向に延在する平坦な水平面部として形成されている。頂面部５９ａの上には、ファンモータ支え１４の後記する水平基部（底部）３７（図６参照）が載置される。
【００２５】
頂面部５９ａのベース側係合部６０の左側と右側とには、切り起こしによる上方に突出する突起部としての係止爪６２ａ，６２ｂが形成されている。係止爪６２ａ，６２ｂは、それぞれ、ファンモータ支え１４の後記する挿通孔４２ａ，４２ｂ（図６参照）に挿入されて、ファンモータ支え１４の位置合わせと固定とに使用される。以下、係止爪６２ａ，６２ｂを総称する場合に「係止爪６２」と称し、挿通孔４２ａ，４２ｂを総称する場合に「挿通孔４２」と称する。
【００２６】
図４に示すように、本実施形態では、ベース側係合部６０の左側面６０ｃは、鉛直方向に対して傾斜角度θ１分だけ傾斜するように設けられている。同様に、ベース側係合部６０の右側面６０ｄも、鉛直方向に対して傾斜角度θ１分だけ傾斜するように設けられている。
【００２７】
また、図５に示すように、本実施形態では、ベース側係合部６０の奥側面６０ｂは、鉛直方向に対して傾斜角度θ２分だけ傾斜するように設けられている。なお、本実施形態では、ベース側係合部６０の左側面６０ｃ及び右側面６０ｄの傾斜角度θ１（図４参照）と奥側面６０ｂの傾斜角度θ２（図５参照）とが異なる角度になっているものとして説明する。しかしながら、傾斜角度θ１（図４参照）と傾斜角度θ２（図５参照）とは、同じ角度にすることもできる。
【００２８】
また、図５に示すように、係止爪６２（６２ａ，６２ｂ）は、凸形状絞り部５９の頂面部５９ａから高さＨ１分だけ上方向に突出するように設けられている。ベース１の係止爪６２の高さＨ１（図５参照）は、支え側係合部４０の後記する高さＨ２（図８参照）よりも低くなっている。
【００２９】
＜ファンモータ支えの構成＞
以下、図６乃至図８を参照して、ファンモータ支え１４の構成につき説明する。図６は、ファンモータ支え１４の全体構成を示す図である。図７及び図８は、それぞれ、ファンモータ支え１４に設けられた支え側係合部４０の構成を示す断面図である。図７は、図６に示すＸ３−Ｘ３線に沿って切断した支え側係合部４０の形状を示している。図８は、図６に示すＸ４−Ｘ４線に沿って切断した支え側係合部４０の形状を示している。
【００３０】
図６に示すように、ファンモータ支え１４は、正面視において全体的に略直方形の外形を呈しており、主として、室外ファンモータ１３を取り付けるモータ取付部３１と、モータ取付部３１の上縁から略鉛直上方に延びる上支持部３２と、モータ取付部３１の下縁から略鉛直下方に延びる下支持部３３とを有している。
【００３１】
モータ取付部３１の中央部には、室外ファンモータ１３を取り付けるための開口ＯＰ３１が形成されている。その開口ＯＰ３１の左側と右側とには、略鉛直方向に延在するフランジＦ３１ａ，Ｆ３１ｂが切り起こしによって形成されている。フランジＦ３１ａ，Ｆ３１ｂの先端部の一部分は、開口ＯＰ３１の方向に直角に折り曲げられている。フランジＦ３１ａ，Ｆ３１ｂの先端部の折り曲げられた部位には、室外ファンモータ１３（図２参照）を固定するための複数（図示例では、２つずつ、合計４つ）のネジ孔２２が形成されている。室外ファンモータ１３（図２参照）は、４つの支持脚を備えており、４つの支持脚のそれぞれにネジ孔（図示せず）が形成されている。室外ファンモータ１３（図２参照）は、４つの支持脚に形成された４つのネジ孔（図示せず）と４つのネジ孔２２とが合致するように、開口ＯＰ３１の内部に配置される。そして、４つの支持脚に形成された４つのネジ孔（図示せず）と４つのネジ孔２２とにネジ（図示せず）が挿通されることによって、室外ファンモータ１３（図２参照）は、ファンモータ支え１４に取り付けられて固定される。
【００３２】
上支持部３２は、正面視において略直方形の形状を呈している。上支持部３２は、モータ取付部３１の上縁部から略鉛直上方に天板５（図２参照）の下端部付近の高さまで延在するように配置されている。上支持部３２の中央部には、縦長の略長方形の形状を呈する開口ＯＰ３２が形成されている。開口ＯＰ３２は、上支持部３２の大部分を占めるように形成されている。
【００３３】
ファンモータ支え１４の上端部３４は、略水平な方向に延在する水平面部３４ａと、略鉛直方向に延在する鉛直面部３４ｂと、室外熱交換器１１を押さえるための押さえ部３４ｃ，３４ｄとを備えている。水平面部３４ａは、ファンモータ支え１４の上縁部分を後方向にＬ字状に折り曲げることによって形成されている。鉛直面部３４ｂは、水平面部３４ａの先端部の一部分を上方にＬ字状に折り曲げることによって形成されている。押さえ部３４ｃは、水平面部３４ａの内面の一部分を切り欠き、その部分を下方にＬ字状に折り曲げることによって形成されている。押さえ部３４ｄは、水平面部３４ａの先端部における鉛直面部３４ｂ以外の部分を下方にＬ字状に折り曲げることによって形成されている。
【００３４】
押さえ部３４ｃと押さえ部３４ｄとは、互いの間で室外熱交換器１１の上端部を挟み込んで固定する固定部３５を構成している。つまり、固定部３５は、前側の押さえ部３４ｃと後側の押さえ部３４ｄとで室外熱交換器１１の上端部を挟み込むことで、室外熱交換器１１を固定する構造になっている。
【００３５】
鉛直面部３４ｂには、ネジ孔２１が形成されている。空気調和機の室外機１００は、鉛直面部３４ｂのネジ孔２１と天板５（図２参照）の内側面に形成されたネジ孔（図示せず）とを合致させた状態で、ネジ（図示せず）でファンモータ支え１４の上端部を天板５（図２参照）の内側面に固定する構造になっている。
【００３６】
下支持部３３は、正面視において略直方形の形状を呈している。下支持部３３は、モータ取付部３１の下縁部から略鉛直下方にベース１の凸形状絞り部５９の頂面部５９ａ（図３参照）と略同じ高さまで延在するように配置されている。下支持部３３の中央部には、縦長の略長方形の形状を呈する開口ＯＰ３３が形成されている。開口ＯＰ３３は、下支持部３３大部分を占めるように、上支持部３２に形成された開口ＯＰ３２と略同じ大きさに形成されて形成されている。
【００３７】
下支持部３３は、主として、側面部として、略鉛直方向に延在する鉛直基部３６と、底部として、略水平な方向に延在する水平基部３７とを有している。鉛直基部（側面部）３６は、例えばプレス成形等でファンモータ支え１４の両側端部を前方に折り曲げることによって形成されている。水平基部（底部）３７は、例えばプレス成形等でファンモータ支え１４の下端部を前方に折り曲げることによって形成されている。
【００３８】
水平基部（底部）３７は、ファンモータ支え１４の底部を構成しており、ファンモータ支え１４を略鉛直方向に起立させる機能を有している。水平基部（底部）３７は、好ましくは、鉛直基部（側面部）３６に対して垂直な関係になるように配置されているとよい。
【００３９】
水平基部（底部）３７の略中央部には、ベース１の凹形状のベース側係合部６０（図３参照）と係合するように、凸形状の支え側係合部４０が形成されている。支え側係合部４０は、例えばプレス成形等で水平基部（底部）３７を下方向に絞り出すように変形させることによって形成されている。
【００４０】
凸形状の支え側係合部４０は、前方が開放されている。そして、支え側係合部４０は、外側に、底面４０ａ（図７及び図８参照）と背面４０ｂ（図７及び図８参照）と左側面４０ｃ（図７参照）と右側面４０ｄ（図７参照）とを備えた構成になっている。底面４０ａ（図７及び図８参照）は、支え側係合部４０の底部分の下面である。背面４０ｂ（図７及び図８参照）は、支え側係合部４０の奥行き方向に設けられた面である。左側面４０ｃ（図７参照）と右側面４０ｄ（図７参照）とは、それぞれ、支え側係合部４０の左方向と右方向とに設けられた面である。
【００４１】
底面４０ａ（図７及び図８参照）は、ベース側係合部６０の底面６０ａ（図４及び図５参照）に沿うように、略水平な方向に延在する平坦な水平面となっている。背面４０ｂ（図７及び図８参照）は、ベース側係合部６０の奥側面６０ｂ（図４及び図５参照）に沿うように、鉛直方向に対して緩やかに傾斜する傾斜面として形成されている。また、左側面４０ｃ（図７参照）と右側面４０ｄ（図７参照）とは、それぞれ、ベース側係合部６０の左側面６０ｃ（図４参照）と右側面６０ｄ（図４参照）とに沿うように、鉛直方向に対して緩やかに傾斜する傾斜面として形成されている。
【００４２】
支え側係合部４０の背面４０ｂ（図７及び図８参照）には、ネジ取付用のネジ孔４１が形成されている。ネジ孔４１は、ベース側係合部６０のネジ孔６１（図３参照）と合致する位置に形成されている。空気調和機の室外機１００は、支え側係合部４０のネジ孔４１（図６参照）とベース側係合部６０のネジ孔６１（図３参照）とを合致させた状態で、ネジ１５（図２参照）でファンモータ支え１４の下端部をベース１に固定する構造になっている。
【００４３】
図６に示すように、水平基部（底部）３７の支え側係合部４０の左側と右側とには、ベース１の係止爪６２ａ，６２ｂ（図３参照）に対応する挿通孔４２（４２ａ，４２ｂ）が形成されている。ベース１の係止爪６２ａ，６２ｂ（図３参照）は、それぞれに対応する挿通孔４２ａ，４２ｂに挿入される。
【００４４】
また、図６に示すように、ファンモータ支え１４は、水平基部（底部）３７の支え側係合部４０の後方の位置で、かつ、左側の挿通孔４２ａと右側の挿通孔６２ｂとの間の位置に、少なくとも１つ以上のリブ４６を有している。リブ４６は、ファンモータ支え１４の下端部の強度を補強するために略楔形状に形成された部位である。本実施形態では、２つのリブ４６ａ，４６ｂがリブ４６として形成されているものとして説明する。
【００４５】
図７に示すように、本実施形態では、支え側係合部４０の左側面４０ｃは、鉛直方向に対して傾斜角度θ３分だけ傾斜するように設けられている。同様に、支え側係合部４０の右側面４０ｄも、鉛直方向に対して傾斜角度θ３分だけ傾斜するように設けられている。本実施形態では、支え側係合部４０の左側面４０ｃ及び右側面４０ｄの傾斜角度θ３は、ベース側係合部６０の左側面６０ｃ及び右側面６０ｄの傾斜角度θ１（図４参照）と同じ角度に設定されているものとして説明する。ただし、傾斜角度θ３は、傾斜角度θ１（図４参照）よりも小さくしてもよい。
【００４６】
また、図８に示すように、本実施形態では、支え側係合部４０の背面４０ｂは、鉛直方向に対して傾斜角度θ４分だけ傾斜するように設けられている。本実施形態では、支え側係合部４０の背面４０ｂの傾斜角度θ４は、ベース側係合部６０の奥側面６０ｂの傾斜角度θ２（図５参照）と同じ角度に設定されているものとして説明する。ただし、傾斜角度θ４は、傾斜角度θ２（図５参照）よりも小さくしてもよい。
【００４７】
なお、本実施形態では、支え側係合部４０の左側面４０ｃ及び右側面４０ｄの傾斜角度θ３（図７参照）と背面４０ｂの傾斜角度θ４（図８参照）とが異なる角度になっているものとして説明する。しかしながら、傾斜角度θ３（図７参照）と傾斜角度θ４（図８参照）とは、同じ角度にすることもできる。
【００４８】
また、図８に示すように、支え側係合部４０は、水平基部（底部）３７の水平面部３７ａの下面から高さＨ２分だけ下方向に突出するように設けられている。ここで、支え側係合部４０の高さＨ２は、ベース１の係止爪６２の高さＨ１（図５参照）よりも高い値に設定されている。つまり、前記した通り、ベース１の係止爪６２の高さＨ１（図５参照）は、支え側係合部４０の高さＨ２（図８参照）よりも低くなっている。
【００４９】
＜ファンモータ支えのベースへの取付方法＞
以下、図２乃至図６を参照して、ファンモータ支え１４のベース１への取付方法につき説明し、本実施形態の効果も説明する。
【００５０】
図２に示すように、まず、組立作業者は、ファンモータ支え１４の支え側係合部４０とベース１のベース側係合部６０とが係合するように、ベース側係合部６０の鉛直方向上方からファンモータ支え１４を降下させる。このとき、組立作業者は、ベース側係合部６０の傾斜面（奥側面６０ｂと左側面６０ｃと右側面６０ｄ）と支え側係合部４０の傾斜面（背面４０ｂと左側面４０ｃと右側面４０ｄ）とを当接させながらファンモータ支え１４を降下させる。その結果、ベース１のベース側係合部６０の傾斜面（奥側面６０ｂと左側面６０ｃと右側面６０ｄ）とファンモータ支え１４の支え側係合部４０の傾斜面（背面４０ｂと左側面４０ｃと右側面４０ｄ）とが、導入ガイドとして機能して、ファンモータ支え１４の支え側係合部４０を所定の位置に誘導する。そのため、空気調和機の室外機１００は、ベース１の係止爪６２ａ，６２ｂ（図３参照）をファンモータ支え１４の挿通孔４２ａ，４２ｂ（図６参照）に容易に挿入することができる。
【００５１】
また、係止爪６２ａ，６２ｂの高さＨ１（図５参照）は、支え側係合部４０の高さＨ２（図８参照）よりも低くなっている。そのため、空気調和機の室外機１００は、ベース側係合部６０の傾斜面（奥側面６０ｂと左側面６０ｃと右側面６０ｄ）と支え側係合部４０の傾斜面（背面４０ｂと左側面４０ｃと右側面４０ｄ）とで、ファンモータ支え１４の支え側係合部４０を所定の位置に誘導しながら、ベース１の係止爪６２ａ，６２ｂ（図３参照）をファンモータ支え１４の挿通孔４２ａ，４２ｂ（図６参照）に挿入することができる。その結果、これによっても、空気調和機の室外機１００は、ベース１の係止爪６２ａ，６２ｂ（図３参照）をファンモータ支え１４の挿通孔４２ａ，４２ｂ（図６参照）にさらに容易に挿入することができる。
【００５２】
なお、前記した通り、本実施形態では、ベース側係合部６０の左側面６０ｃ及び右側面６０ｄの傾斜角度θ１（図４参照）が支え側係合部４０の左側面４０ｃ及び右側面４０ｄの傾斜角度θ３（図７参照）と同じ角度に設定されている。また、前記した通り、ベース側係合部６０の奥側面６０ｂ傾斜角度θ２（図５参照）が支え側係合部４０の背面４０ｂの傾斜角度θ４（図８参照）と同じ角度に設定されている。しかしながら、傾斜角度θ３（図７参照）は、傾斜角度θ１（図４参照）よりも小さくした方が、導入ガイドの効果を大きくすることができる。同様に、傾斜角度θ４（図８参照）は、傾斜角度θ２（図５参照）よりも小さくした方が、導入ガイドの効果を大きくすることができる。
【００５３】
また、図６に示すように、ファンモータ支え１４の水平基部（底部）３７の奥方向（支え側係合部４０の周囲）に水平面部３７ａを設け、さらに右側の挿通孔４２ａと左側の挿通孔４２ｂとの間の位置に、楔形のリブ４６（４６ａ，４６ｂ）を設けたので鉛直基部３６と水平面部３７ａの曲げ部の強度を強化することができる。
【００５４】
＜空気調和機の室外機の主な特徴＞
このような空気調和機の室外機１００は、以下のような特徴を有している。
（１）空気調和機の室外機１００は、ベース１と、ベース１に固定されるファンモータ支え１４と、ベース１とファンモータ支え１４とを固定する固定用部材としてのネジ１５とを備えている。ファンモータ支え１４は、底部に、凸状又は凹状に形成された支え側係合部４０を有している。一方、ベース１は、支え側係合部４０に対応する位置に、支え側係合部４０と係合する凹状又は凸状に形成されたベース側係合部６０を有している。
【００５５】
このような空気調和機の室外機１００は、支え側係合部４０とベース側係合部６０とが係合するように、ベース１の上方向からファンモータ支え１４を略鉛直下方に降下させるだけで、ファンモータ支え１４をベース１上の所望の位置に配置することができる。そのため、空気調和機の室外機１００は、ベース１に対するファンモータ支え１４の位置合わせを容易に行うことができる。その結果、空気調和機の室外機１００は、ファンモータ支え１４の左右方向のずれを抑制することができる。
【００５６】
また、空気調和機の室外機１００は、ベース１の上方向からファンモータ支え１４を略鉛直下方に降下させるだけで、ファンモータ支え１４の固定部３５（図６参照）を室外熱交換器１１に衝突させることなく、室外熱交換器１１を固定部３５の押さえ部３４ｃ，３４ｄ（図６参照）に容易に嵌め込ませることができる。そのため、空気調和機の室外機１００は、組立作業性を向上させることができる。また、空気調和機の室外機１００は、固定部３５（図６参照）で室外熱交換器１１に傷を付けないようにすることができる。また、空気調和機の室外機１００は、固定部３５（図６参照）やファンモータ支え１４のフレームに過大な力が加わらないようにすることができる。そのため、空気調和機の室外機１００は、固定部３５の押さえ部３４ｃ，３４ｄ（図６参照）やファンモータ支え１４のフレームを変形させないようにすることができる。
【００５７】
（２）支え側係合部４０とベース側係合部６０とには、ファンモータ支え１４とベース１とをネジ止めするためのネジ孔４１，６１が形成されている。
【００５８】
このような空気調和機の室外機１００は、支え側係合部４０のネジ孔４１とベース側係合部６０のネジ孔６１との位置合わせを容易に行うことができる。
【００５９】
（３）支え側係合部４０の側面４０ｃ，４０ｄ（図７参照）とベース側係合部６０の側面６０ｃ，６０ｄ（図４参照）は、それぞれ、傾斜面になっている。ネジ孔４１（図７参照）は、支え側係合部４０の背面４０ｂ（図７参照）に形成されている。また、ネジ孔６１（図４参照）は、ベース側係合部６０の奥側面６０ｂ（図４参照）において、ネジ孔４１（図７参照）に対応する位置に形成されている。
【００６０】
このような空気調和機の室外機１００は、傾斜面として形成された支え側係合部４０の側面４０ｃ，４０ｄ（図７参照）とベース側係合部６０の側面６０ｃ，６０ｄ（図４参照）とを、ベース１に対するファンモータ支え１４の左右方向の挿入を規定するガイド面として用いることができる。そのため、空気調和機の室外機１００は、ファンモータ支え１４をベース１上の所望の位置に誘導した後に、ネジ止めを行うことにより、ネジ止め作業の容易化を図ることができる。
【００６１】
（４）ベース１は、ベース側係合部６０の周囲に、平坦状に形成された略水平な面として、凸形状絞り部５９の頂面部５９ａを有している。
【００６２】
このような空気調和機の室外機１００は、略水平な面として形成されたベース側係合部６０の周囲部分（凸形状絞り部５９の頂面部５９ａ）でファンモータ支え１４を支持する。そのため、空気調和機の室外機１００は、ファンモータ支え１４をぐらつかせることなく、ファンモータ支え１４をベース１の上に安定して配置させることができる。また、空気調和機の室外機１００は、略水平な面として形成されたベース側係合部６０の周囲部分（凸形状絞り部５９の頂面部５９ａ）でベース側係合部６０の強度を向上させることができる。そのため、空気調和機の室外機１００は、ベース側係合部６０を変形させることなく、ファンモータ支え１４が差し込まれる際に加えられる強い負荷をベース側係合部６０の周囲部分で十分に受け止めることができる。
【００６３】
（５）ベース１は、上方に突出する係止爪６２ａ，６２ｂ（図３参照）を有している。一方、ファンモータ支え１４の底部には、係止爪６２ａ，６２ｂ（図３参照）に対応する挿通孔４２ａ，４２ｂ（図６参照）が形成されている。
【００６４】
このような空気調和機の室外機１００は、係止爪６２ａ，６２ｂ（図３参照）と挿通孔４２ａ，４２ｂ（図６参照）とを、ファンモータ支え１４の回り止めとして用いることができる。そのため、空気調和機の室外機１００は、ファンモータ支え１４を確実にベース１に固定することができる。
【００６５】
なお、係止爪６２ａ，６２ｂ（図３参照）は、以下の理由により、ファンモータ支え１４の底部に設けるよりもベース１に設ける方が好ましい。
【００６６】
第１の理由は、係止爪６２ａ，６２ｂの強度を確保することができるからである。例えば、ベース１の厚さは、ファンモータ支え１４の底部の厚さよりも厚くなっている。そのため、係止爪６２ａ，６２ｂは、ファンモータ支え１４の底部に設けるよりもベース１に設けた方が、強度を確保することができる点で有利である。
【００６７】
第２の理由は、係止爪６２ａ，６２ｂが周囲の部材に引っ掛かることを抑制することができるからである。例えば、仮に係止爪６２ａ，６２ｂをファンモータ支え１４の底部に設けた場合に、係止爪６２ａ，６２ｂは、底部よりも外側に突出する構造になるため、周囲の部材に引っ掛かり易くなる。これに対して、仮に係止爪６２ａ，６２ｂをベース１に設けた場合に、係止爪６２ａ，６２ｂは、周囲の返しで囲まれた構造になるため、周囲の部材に引っ掛かり難くなる。そのため、係止爪６２ａ，６２ｂは、ファンモータ支え１４の底部に設けるよりもベース１に設けた方が、周囲の部材への引っ掛かりを抑制することができる点で有利である。
【００６８】
（６）支え側係合部４０の奥行き方向に設けられた面（背面４０ｂ（図８参照））とベース側係合部６０の奥行き方向に設けられた面（奥側面６０ｂ（図５参照））も、それぞれ、傾斜面になっている。ベース１は、ベース側係合部６０の周囲に、上方に突出する係止爪６２ａ，６２ｂ（図５参照）を有している。係止爪６２ａ，６２ｂの高さＨ１（図５参照）は、支え側係合部４０の高さＨ２（図８参照）よりも低くなっている。
【００６９】
このような空気調和機の室外機１００は、傾斜面として形成された支え側係合部４０の背面４０ｂ（図８参照）とベース側係合部６０の奥側面６０ｂ（図５参照）とを、ベース１に対するファンモータ支え１４の奥行き方向（前後方向）の挿入を規定するガイド面として用いることができる。そのため、空気調和機の室外機１００は、係止爪６２ａ，６２ｂ（図３参照）を挿通孔４２ａ，４２ｂ（図６参照）に嵌合させ易くすることができる。また、空気調和機の室外機１００は、ベース１の係止爪６２（６２ａ，６２ｂ）の高さＨ１（図５参照）が支え側係合部４０の高さＨ２（図８参照）よりも低くなっている。そのため、これによっても、空気調和機の室外機１００は、係止爪６２ａ，６２ｂ（図３参照）を挿通孔４２ａ，４２ｂ（図６参照）にさらに嵌合させ易くすることができる。その結果、空気調和機の室外機１００は、ファンモータ支え１４をベース１上の所望の位置に誘導した後に、係止爪６２ａ，６２ｂ（図３参照）を挿通孔４２ａ，４２ｂ（図６参照）に嵌合させることによって、ファンモータ支え１４をベース１に確実に固定することができる。
【００７０】
（７）ベース１は、ベース側係合部６０の右側と左側とに、上方に突出する右側の係止爪６２ａ（図３参照）と左側の係止爪６２ｂ（図３参照）とを有している。また、ファンモータ支え１４の底部には、右側の係止爪６２ａに対応する右側の挿通孔４２ａ（図６参照）と左側の係止爪６２ｂに対応する左側の挿通孔４２ｂ（図６参照）とが形成されている。ファンモータ支え１４は、支え側係合部４０の後方の位置で、かつ、右側の挿通孔４２ａと左側の挿通孔４２ｂとの間の位置に、少なくとも１つ以上のリブ４６（図６参照）を有している。
【００７１】
このような空気調和機の室外機１００は、リブ４６がファンモータ支え１４の下端部に設けられているため、ファンモータ支え１４の下端部の強度を補強することができる。
また、空気調和機の室外機１００は、右側の係止爪６２ａと左側の係止爪６２ｂとを右側の挿通孔４２ａと左側の挿通孔４２ｂとに嵌合させることにより、ファンモータ支え１４の回転方向のずれを抑制することができる。ここで、「ファンモータ支え１４の回転方向のずれ」とは、ファンモータ支え１４が支え側係合部４０を中心にして回転することによって発生するずれを意味している。
しかも、空気調和機の室外機１００は、仮に係止爪６２ａと係止爪６２ｂとの間隔を広げても、ファンモータ支え１４の強度を確保することができる。そのため、右側の係止爪６２ａと左側の係止爪６２ｂとの間隔を広げて、右側の係止爪６２ａと左側の係止爪６２ｂとをベース側係合部６０の頂面部（水平面部）５９ａの端部付近に設けることができる。これにより、空気調和機の室外機１００は、ファンモータ支え１４の回転方向のずれをさらに効率よく抑制することができる。したがって、空気調和機の室外機１００は、ファンモータ支え１４の回転方向のずれに強い構造にすることができる。
【００７２】
以上の通り、本実施形態に係る空気調和機の室外機１００によれば、ファンモータ支え１４が正規の取付位置からずれたまま固定されることを抑制しつつ、ファンモータ支え１４の組立作業性を向上させることができる。
【００７３】
本発明は、前記した実施形態に限定されるものではなく、様々な変形例が含まれる。例えば、前記した実施形態は、本発明を分かり易く説明するために詳細に説明したものであり、必ずしも説明した全ての構成を備えるものに限定されるものではない。また、実施形態の構成の一部を他の構成に置き換えることが可能であり、また、実施形態の構成に他の構成を加えることも可能である。また、各構成の一部について、他の構成の追加・削除・置換をすることが可能である。
【００７４】
また、例えば、前記した実施形態では、空気調和機の室外機１００は、ベース１に凹形状のベース側係合部６０を設けるとともに、ファンモータ支え１４に凸形状の支え側係合部４０を設けた構成になっている。しかしながら、空気調和機の室外機１００は、逆に、ベース１に凸形状のベース側係合部６０を設けるとともに、ファンモータ支え１４に凹形状の支え側係合部４０を設けた構成になっていてもよい。
【００７５】
また、例えば、支え側係合部４０のネジ孔４１とベース側係合部６０のネジ孔６１とは、それぞれ、好ましくは、絞りバーリング孔で形成されているとよい。これにより、空気調和機の室外機１００は、締め付けトルクを向上させることができ、ネジ１５の固定性能を向上させることができる。ただし、支え側係合部４０のネジ孔４１とベース側係合部６０のネジ孔６１とは、それぞれ、絞り孔で形成することもできる。支え側係合部４０のネジ孔４１とベース側係合部６０のネジ孔６１とを絞り孔で形成した場合は、製造コストを低減することができる。
【００７６】
また、例えば、ベース側係合部６０のネジ孔６１（図３参照）と支え側係合部２２のネジ孔４１（図６参照）は、好ましくは、絞りバーリング孔で形成されているとよい。これにより、空気調和機の室外機１００は、締め付けトルクを向上させることができ、ネジ１５（図２参照）の固定性能を向上させることができる。ただし、ネジ孔６１（図３参照）とネジ孔４１（図６参照）は、絞り孔で形成することもできる。ネジ孔６１（図３参照）とネジ孔４１（図６参照）を絞り孔で形成した場合は、製造コストを低減することができる。
【符号の説明】
【００７７】
１    ベース
２    前カバー
３    左側面カバー
４    右側面カバー
５    天板
６    仕切板
７    機械室
８    熱交換室
９    圧縮機
１０    電装品
１１    室外熱交換器
１２    室外ファン
１３    室外ファンモータ
１４    ファンモータ支え
１５    ネジ（固定用部材）
２１    ネジ孔
２２    ネジ孔
３１    モータ取付部
３２    上支持部
３３    下支持部
３４    ファンモータ支えの上端部
３４ａ    ファンモータ支えの上端部の水平面部
３４ｂ    ファンモータ支えの上端部の鉛直面部
３４ｃ，３４ｄ    押さえ部
３５    固定部
３６    鉛直基部（側面部）
３７    水平基部（底部）
３７ａ    水平面部
４０    支え側係合部
４０ａ    底面（水平面）
４０ｂ    背面（傾斜面として奥行き方向に設けられた面）
４０ｃ，４０ｄ    側面（傾斜面）
４１    支え側係合部のネジ孔
４２（４２ａ，４２ｂ）    挿通孔
４６（４６ａ，４６ｂ）    リブ
５７    底面部（内側上面）
５９    凸形状絞り部
５９ａ    頂面部（水平面部）
６０    ベース側係合部
６０ａ    底面
６０ｂ    奥側面（傾斜面として奥行き方向に設けられた面）
６０ｃ，６０ｄ    側面（傾斜面）
６１    ベース側係合部のネジ孔
６２（６２ａ，６２ｂ）    係止爪
１００    空気調和機の室外機
Ｆ３１ａ，Ｆ３１ｂ    フランジ
Ｈ１    高さ
Ｈ２    高さ
ＯＰ３１，ＯＰ３２，ＯＰ３２    開口
θ１，θ２，θ３，θ４    傾斜角度
【図１】
2018084387.tif 000003
【図２】
2018084387.tif 000004
【図３】
2018084387.tif 000005
【図４】
2018084387.tif 000006
【図５】
2018084387.tif 000007
【図６】
2018084387.tif 000008
【図７】
2018084387.tif 000009
【図８】
2018084387.tif 000010